【手続補正書】
【提出日】平成16年5月28日(2004.5.28)
【手続補正１】
【補正対象書類名】明細書
【補正対象項目名】特許請求の範囲
【補正方法】変更
【補正の内容】
【特許請求の範囲】
【請求項１】
任意の情報を外部機器内の記憶手段へ転送可能な情報処理装置であって、
上記記憶手段のディレクトリ情報を上記外部機器から取得して表示する表示手段と、
上記表示手段により表示されたディレクトリ情報に基づいて、上記記憶手段における上記任意の情報の転送先ディレクトリを指定する指定手段とを備えることを特徴とする情報処理装置。
【請求項２】
少なくとも任意の情報を送受信可能に外部機器と接続される情報処理装置であって、
上記外部機器のファイルシステムが管理する記憶手段のディレクトリ情報を取得して管理するディレクトリ情報管理手段と、
上記ディレクトリ情報管理手段により管理されたディレクトリ情報を表示する表示手段とを備えることを特徴とする情報処理装置。
【請求項３】
上記表示手段により表示されたディレクトリ情報により示されるディレクトリの中から、上記任意の情報の転送先ディレクトリを指定するための指定手段を備えることを特徴とする請求項２記載の情報処理装置。
【請求項４】
上記外部機器への上記任意の情報の転送指示を入力するための入力手段と、
上記入力手段での入力指示に基づいて、上記任意の情報及び上記指定手段により指定された転送先ディレクトリへ上記任意の情報を格納するためのコマンドを、上記外部機器へ送信する送信手段とを備えることを特徴とする請求項１又は２記載の情報処理装置。
【請求項５】
撮影して得られた画像情報を上記任意の情報として取得する撮影手段を備えることを特徴とする請求項１又は２記載の情報処理装置。
【請求項６】
少なくとも任意の情報を送受信可能に外部機器と接続される情報処理装置であって、
上記任意の情報を、階層化されたディレクトリ構造における任意のディレクトリへファイル単位で記憶する記憶手段と、
上記記憶手段での上記ディレクトリ構造を管理するファイル管理手段と、
上記外部機器からの要求に基づいて、上記ファイル管理手段により管理されるディレクトリ構造の情報を上記外部機器へ送信する送信手段とを備えることを特徴とする情報処理装置。
【請求項７】
上記外部機器からの要求に基づいて、上記外部機器から指定されたディレクトリに新規ファイルを作成し、該新規ファイルへ上記外部機器からの上記任意の情報を格納するファイリング手段を備えることを特徴とする請求項６記載の情報処理装置。
【請求項８】
上記記憶手段は、不揮発性記憶媒体を含むことを特徴とする請求項１、２、又は６の何れか１項に記載の情報処理装置。
【請求項９】
任意の情報を外部機器内の記憶手段へ転送可能な情報処理装置であって、
任意の情報を前記記憶手段に転送するための画面を表示する表示手段と、
前記表示手段に表示された前記画面に対する操作に対応して前記情報を転送する転送手段とを備えることを特徴とする情報処理装置。
【請求項１０】
前記表示手段に表示された前記画面の中から前記任意の情報の転送先を指定する指定手段を備えることを特徴とする請求項９記載の情報処理装置。
【請求項１１】
撮影して得られた画像情報を上記任意の情報として取得する撮影手段を備えることを特徴とする請求項９又は１０記載の情報処理装置。
【請求項１２】
複数の機器が通信可能なように接続されてなる情報処理システムであって、
上記複数の機器のうち少なくとも１つの機器は、請求項１〜１１の何れか１項に記載の情報処理装置の機能を有することを特徴とする情報処理システム。
【請求項１３】
第１の装置で得られた任意の情報を、第２の装置内の記憶手段へ格納するための情報処理方法であって、上記第１の装置において、
上記記憶手段のディレクトリ情報を上記第２の装置から取得して表示する表示ステップと、
上記表示ステップにより表示されたディレクトリ情報に基づいて、上記記憶手段における上記任意の情報の転送先ディレクトリを指定する指定ステップとを含むことを特徴とする情報処理方法。
【請求項１４】
第１の装置で得られた任意の情報を、第２の装置内の記憶手段へ格納するための情報処理方法であって、上記第１の装置において、
上記第２の装置のファイルシステムが管理する上記記憶手段のディレクトリ情報を上記第２の装置から取得して管理するディレクトリ情報管理ステップと、
上記ディレクトリ情報管理ステップにより管理されたディレクトリ情報を表示する表示ステップとを含むことを特徴とする情報処理方法。
【請求項１５】
上記表示ステップにより表示されたディレクトリ情報により示されるディレクトリの中から、上記任意の情報の転送先ディレクトリを指定するための指定ステップを含むことを特徴とする請求項１４記載の情報処理方法。
【請求項１６】
上記第２の装置への上記任意の情報の転送指示を入力するための入力ステップと、
上記入力ステップによる入力指示に基づいて、上記任意の情報及び上記指定ステップにより指定された転送先ディレクトリへ上記任意の情報を格納するためのコマンドを、上記外部機器へ送信する送信ステップとを含むことを特徴とする請求項１３又は１４記載の情報処理方法。
【請求項１７】
撮影して得られた画像情報を上記任意の情報として取得する撮影ステップを含むことを特徴とする請求項１３又は１４記載の情報処理方法。
【請求項１８】
上記第２の装置において、
上記任意の情報を、階層化されたディレクトリ構造における任意のディレクトリへファイル単位で上記記憶手段へ記憶する記憶ステップと、
上記記憶手段での上記ディレクトリ構造を管理するファイル管理ステップと、
上記第１の装置からの要求に基づいて、上記ファイル管理ステップにより管理されるディレクトリ構造の情報を上記第１の装置へ送信する送信ステップとを含むことを特徴とする請求項１３又は１４記載の情報処理方法。
【請求項１９】
上記第１の装置からの要求に基づいて、上記第１の装置から指定されたディレクトリに新規ファイルを作成し、該新規ファイルへ上記第１の装置からの上記任意の情報を格納するファイリングステップを含むことを特徴とする請求項１８記載の情報処理方法。
【請求項２０】
上記記憶手段は、不揮発性記憶媒体を含むことを特徴とする請求項１３又は１４記載の情報処理方法。
【請求項２１】
任意の情報を外部機器内の記憶手段へ転送可能な情報処理装置を用いた情報処理方法であって、
任意の情報を前記記憶手段に転送するための画面を表示する表示ステップと、
前記表示ステップで表示された前記画面に対する操作に対応して前記情報を転送する転送ステップとを有することを特徴とする情報処理方法。
【請求項２２】
前記表示ステップで表示された前記画面の中から前記任意の情報の転送先を指定する指定ステップを有することを特徴とする請求項２１記載の情報処理方法。
【請求項２３】
撮影して得られた画像情報を上記任意の情報として取得する撮影ステップを有することを特徴とする請求項２１又は２２記載の情報処理方法。
【請求項２４】
請求項１３〜２３の何れか１項に記載の情報処理方法の処理ステップを、コンピュータに実行させるためのプログラムを格納したことを特徴とするコンピュータ読み取り可能な記憶媒体。
【手続補正２】
【補正対象書類名】明細書
【補正対象項目名】００１１
【補正方法】変更
【補正の内容】
【００１１】
第７の発明は、上記第６の発明において、上記外部機器からの要求に基づいて、上記外部機器から指定されたディレクトリに新規ファイルを作成し、該新規ファイルへ上記外部機器からの上記任意の情報を格納するファイリング手段を備えることを特徴とする。
第８の発明は、上記第１、２、又は６の何れか１項に記載の発明において、上記記憶手段は、不揮発性記憶媒体を含むことを特徴とする。
【手続補正３】
【補正対象書類名】明細書
【補正対象項目名】００１２
【補正方法】変更
【補正の内容】
【００１２】
第９の発明は、任意の情報を外部機器内の記憶手段へ転送可能な情報処理装置であって、任意の情報を前記記憶手段に転送するための画面を表示する表示手段と、前記表示手段に表示された前記画面に対する操作に対応して前記情報を転送する転送手段とを備えることを特徴とする。
第１０の発明は、上記第９の発明において、前記表示手段に表示された前記画面の中から前記任意の情報の転送先を指定する指定手段を備えることを特徴とする。
第１１の発明は、上記第９又は１０の発明において、撮影して得られた画像情報を上記任意の情報として取得する撮影手段を備えることを特徴とする。
【手続補正４】
【補正対象書類名】明細書
【補正対象項目名】００１３
【補正方法】変更
【補正の内容】
【００１３】
第１２の発明は、複数の機器が通信可能なように接続されてなる情報処理システムであって、上記複数の機器のうち少なくとも１つの機器は、請求項１〜１１の何れか１項に記載の情報処理装置の機能を有することを特徴とする。
【手続補正５】
【補正対象書類名】明細書
【補正対象項目名】００１４
【補正方法】変更
【補正の内容】
【００１４】
第１３の発明は、第１の装置で得られた任意の情報を、第２の装置内の記憶手段へ格納するための情報処理方法であって、上記第１の装置において、上記記憶手段のディレクトリ情報を上記第２の装置から取得して表示する表示ステップと、上記表示ステップにより表示されたディレクトリ情報に基づいて、上記記憶手段における上記任意の情報の転送先ディレクトリを指定する指定ステップとを含むことを特徴とする。
【手続補正６】
【補正対象書類名】明細書
【補正対象項目名】００１５
【補正方法】変更
【補正の内容】
【００１５】
第１４の発明は、第１の装置で得られた任意の情報を、第２の装置内の記憶手段へ格納するための情報処理方法であって、上記第１の装置において、上記第２の装置のファイルシステムが管理する上記記憶手段のディレクトリ情報を上記第２の装置から取得して管理するディレクトリ情報管理ステップと、上記ディレクトリ情報管理ステップにより管理されたディレクトリ情報を表示する表示ステップとを含むことを特徴とする。
【手続補正７】
【補正対象書類名】明細書
【補正対象項目名】００１６
【補正方法】変更
【補正の内容】
【００１６】
第１５の発明は、上記第１４の発明において、上記表示ステップにより表示されたディレクトリ情報により示されるディレクトリの中から、上記任意の情報の転送先ディレクトリを指定するための指定ステップを含むことを特徴とする。
【手続補正８】
【補正対象書類名】明細書
【補正対象項目名】００１７
【補正方法】変更
【補正の内容】
【００１７】
第１６の発明は、上記第１３又は１４の発明において、上記第２の装置への上記任意の情報の転送指示を入力するための入力ステップと、上記入力ステップによる入力指示に基づいて、上記任意の情報及び上記指定ステップにより指定された転送先ディレクトリへ上記任意の情報を格納するためのコマンドを、上記外部機器へ送信する送信ステップとを含むことを特徴とする。
【手続補正９】
【補正対象書類名】明細書
【補正対象項目名】００１８
【補正方法】変更
【補正の内容】
【００１８】
第１７の発明は、上記第１３又は１４の発明において、撮影して得られた画像情報を上記任意の情報として取得する撮影ステップを含むことを特徴とする。
【手続補正１０】
【補正対象書類名】明細書
【補正対象項目名】００１９
【補正方法】変更
【補正の内容】
【００１９】
第１８の発明は、上記第１３又は１４の発明において、上記第２の装置において、上記任意の情報を、階層化されたディレクトリ構造における任意のディレクトリへファイル単位で上記記憶手段へ記憶する記憶ステップと、上記記憶手段での上記ディレクトリ構造を管理するファイル管理ステップと、上記第１の装置からの要求に基づいて、上記ファイル管理ステップにより管理されるディレクトリ構造の情報を上記第１の装置へ送信する送信ステップとを含むことを特徴とする。
【手続補正１１】
【補正対象書類名】明細書
【補正対象項目名】００２０
【補正方法】変更
【補正の内容】
【００２０】
第１９の発明は、上記第１８の発明において、上記第１の装置からの要求に基づいて、上記第１の装置から指定されたディレクトリに新規ファイルを作成し、該新規ファイルへ上記第１の装置からの上記任意の情報を格納するファイリングステップを含むことを特徴とする。
第２０の発明は、上記第１３又は１４の発明において、上記記憶手段は、不揮発性記憶媒体を含むことを特徴とする。
【手続補正１２】
【補正対象書類名】明細書
【補正対象項目名】００２１
【補正方法】変更
【補正の内容】
【００２１】
第２１の発明は、任意の情報を外部機器内の記憶手段へ転送可能な情報処理装置を用いた情報処理方法であって、任意の情報を前記記憶手段に転送するための画面を表示する表示ステップと、前記表示ステップで表示された前記画面に対する操作に対応して前記情報を転送する転送ステップとを有することを特徴とする。
第２２の発明は、上記第２１の発明において、前記表示ステップで表示された前記画面の中から前記任意の情報の転送先を指定する指定ステップを有することを特徴とする。
第２３の発明は、上記第２１又は２２の発明において、撮影して得られた画像情報を上記任意の情報として取得する撮影ステップを有することを特徴とする。
【手続補正１３】
【補正対象書類名】明細書
【補正対象項目名】００２２
【補正方法】変更
【補正の内容】
【００２２】
第２４の発明は、請求項１３〜２３の何れか１項に記載の情報処理方法の処理ステップを、コンピュータに実行させるためのプログラムを格納したコンピュータ読み取り可能な記憶媒体であることを特徴とする。